(57)【要約】【課題】注出栓から計量キャップに内容液を注ぎ、内容液を対象物に投入において内容液の液切れが良好であり、計量キャップを再び容器体側に戻した時においても計量キャップ内に残っている内容液により計量キャップや容器体側が汚れず、また、内容液の注出時において安定した注出状態を維持可能な計量キャップ付き注出栓を提供すること。【解決手段】容器体の口筒部１７に密にかつ不動に組付き、該口筒部１７内に位置する嵌入筒２の底壁３から注出内容液をガイドする注出筒５を立設した本体キャップ１と、該本体キャップ１に密に螺着し、該注出筒５を覆って該嵌入筒２内に挿入される有頂筒状の計量筒１２を有する計量キャップ１１とから構成され、該注出筒５の背面頂部に段部６が設けられており、該計量筒１２の横断面形状が多角形状であることを特徴とする計量キャップ付き注出栓。【選択図】図１
2017149478.tif 000002
【特許請求の範囲】
【請求項１】
容器体の口筒部（１７）に密にかつ不動に組付き、該口筒部（１７）内に位置する嵌入筒（２）の底壁（３）から注出内容液をガイドする注出筒（５）を立設した本体キャップ（１）と、
該本体キャップ（１）に密に螺着し、該注出筒（５）を覆って該嵌入筒（２）内に挿入される有頂筒状の計量筒（１２）を有する計量キャップ（１１）とから構成され、
該注出筒（５）の背面頂部に段部（６）が設けられており、
該計量筒（１２）の横断面形状が多角形状であることを特徴とする計量キャップ付き注出栓。
【請求項２】
前記注出筒（５）の背面頂部の段部（６）が、平面を備える平面段部（６ａ）である請求項１に記載の計量キャップ付き注出栓。
【請求項３】
前記注出筒（５）の背面頂部の段部（６）が、頂部を角形状とする角形段部（６ｂ）である請求項１に記載の計量キャップ付き注出栓。
【請求項４】
前記計量筒（１２）の横断面形状が、六角形状である請求項１〜３のいずれかに記載の計量キャップ付き注出栓。
【発明の詳細な説明】
【技術分野】
【０００１】
本発明は、ボトル状容器体の口筒部に組付いて、内容液の注出をガイドする本体キャップと、この本体キャップに螺合により着脱して、注出された内容液を計量する計量キャップとから成る計量キャップ付き注出栓に関するものである。
【背景技術】
【０００２】
液体洗剤、柔軟剤、漂白剤等の液体の内容液を収容している合成樹脂製ブローボトル等の容器体から、内容液を注出使用する際に、この注出内容液の注出量を計量することができるように、容器体の注出栓に計量機能を付与したものが利用されている。
【０００３】
この計量機能付き開閉キャップである計量キャップ付き注出栓の一つとして、例えば特許文献１には、内筒の下端部に、筒壁の一部が内・外両方向へ弾性反転可能な容量調整筒部を連設した計量キャップが知られている。
【０００４】
液体用計量キャップにおいて、本体キャップ・容器体の注出栓から計量キャップに内容液を注いで内容液を洗濯機等の対象物に投入し終わり、再び計量キャップを本体キャップ・容器体に戻す時、計量キャップに残っている内容液が本体キャップ・容器体のネジ部などに付着して汚れることがあった。特に、一般的に計量キャップの形状として広く用いられている、円筒状の丸形状キャップにおいては、内容液の表面張力が均等に作用するため、使用者が内容液を使い切ったと思っていても計量キャップ内に残っている内容液が汚れの要因となる。
【０００５】
また、丸形状キャップにおいては、注出栓から計量キャップへ内容液を注ぐ時に、注出栓の背面側が湾曲しているため、計量キャップの上端縁部に接触させて安定させたとしても、その接地安定性は乏しく、容器体が重い場合などで手元がズレると注出栓が計量キャップ内部から外れ、計量キャップの外側や外輪部に内容液を流出させて更なる汚れを引き起こすこともあった。
【先行技術文献】
【特許文献】
【０００６】
【特許文献１】実開昭６２−７６１４４号公報
【発明の概要】
【発明が解決しようとする課題】
【０００７】
本発明の目的は、上記した従来技術における課題をすることであり、注出栓から計量キャップに内容液を注ぎ、内容液を対象物に投入において内容液の液切れが良好であり、計量キャップを再び容器体側に戻した時においても計量キャップ内に残っている内容液により計量キャップや容器体側が汚れない計量キャップ付き注出栓を提供することである。
また、本発明の別の目的は、内容液の注出時において安定した注出状態を維持可能な計量キャップ付き注出栓を提供することである。
【課題を解決するための手段】
【０００８】
上記課題の解決手段として、本発明に係る計量キャップ付き注出栓は、
容器体の口筒部に密にかつ不動に組付き、該口筒部内に位置する嵌入筒の底壁から注出内容液をガイドする注出筒を立設した本体キャップと、
該本体キャップに密に螺着し、該注出筒を覆って該嵌入筒内に挿入される有頂筒状の計量筒を有する計量キャップとから構成され、
該注出筒の背面頂部に段部が設けられており、該計量筒の横断面形状が多角形状であることを特徴とする。
【０００９】
計量筒が多角形状であることによって、従来の丸形状においては使用後における残留内容液の表面張力が均等にかかるが、多角形状では計量筒内に残留した内容液が角部の頂点に集まろうとするため液切れ性が向上し、丸形状に比べ残留内容液は少なくなり、本体キャップへの内容液の付着も少なくなる。また、注出筒の背面頂部に段部を設けることによって、注出筒の計量筒への接地時の安定性を保つことができ、内容液の注出時に安定した注出状態を維持することが可能となる。
【００１０】
また、本発明の別の構成は、注出筒の背面頂部の段部が平面を備える平面段部である。
【００１１】
注出筒の背面の平面段部を、計量筒の平面段部の平面と接させると、平面同士で接しているため接地面が広いため安定性が高まる。
【００１２】
また、本発明の別の構成は、注出筒の背面頂部の段部が頂部を角形状とする角形段部である。
【００１３】
注出筒の背面の角形段部を、計量筒の角形段部の角部の位置に合わせるようにすると接地安定性が高まり、注出筒のズレを抑制することができる。
【００１４】
また、本発明の別の構成は、計量筒の横断面形状を六角形状とするものである。
【００１５】
計量筒の横断面を六角形状とすることにより、内容液の注出時に注出筒を計量筒に挿入し易く、内容液の計量確認も容易である。
【発明の効果】
【００１６】
本発明の上記した構成においては、以下に示す効果を奏する。
注出筒から計量キャップに内容液を注ぎ、内容液を対象物に投入において内容液の液切れ性が良好であり、計量キャップを再び容器体側に戻した時においても計量キャップ内の残留内容液により計量キャップや容器体側が汚れることを抑制できる。
また、本発明において、内容液の注出時において安定した注出状態を維持することが可能となった。
【図面の簡単な説明】
【００１７】
【図１】容器体に組付いた本発明の一実施形態例での断面図である。
【図２】本発明の第一実施形態例を示す概略図である。
【図３】本発明の第二実施形態例を示す概略図である。
【発明を実施するための形態】
【００１８】
以下、本発明にかかる実施の形態について図面を参照しつつ説明する。
【００１９】
図１は容器体に組付いた本発明の一実施形態例での、口筒部、本体キャップ、計量キャップにおける部分縦断面図と、計量キャップの横断面図とである。
本発明による計量キャップ付き注出栓２０は、本体キャップ１と計量キャップ１１とから構成されている。本体キャップ１は、内容液を収納するボトル状の容器体１６の口筒部１７に組付き、計量キャップ１１は、この本体キャップ１に着脱自在に螺合して、容器体１６を開閉する。
【００２０】
本体キャップ１は、図１に示されるように、容器体１６の口筒部１７に密に嵌入する嵌入筒２と、この嵌入筒２の底壁３に立設された注出筒５と、嵌入筒２の上端に外鍔状に連設され、組付け筒８を起立設した頂壁７と、この頂壁７の外周端から垂下設された装着筒９とから構成されている。
【００２１】
底壁３は、やや内側に偏った箇所に下降傾斜したテーパ壁状をしており、その内側部分に開設された注出開口４の開口縁に、樋状となった注出筒５が起立設されている。注出筒５は全体的に円筒状であり、注出筒５の半分側は内容液の注出状況を目視し易いように開口部となる注出開口４であり、この開口側部の下端が位置する底壁３の最下位の部分が、容器体１６内への内容液の戻り口となっている。注出筒５は、開口側部の反対側となる、湾曲している背面側の頂部に段部６を備えている。段部６の形状としては、湾曲している背面頂部を含め平面を設けた平面段部６ａ及び背面頂部を角形状とする角形段部６ｂが挙げられる。
【００２２】
組付け筒８は、計量キャップ１１を螺合組付けする部分である。装着筒９は、本体キャップ１を容器体１６に螺合組付けする部分であり、その下端には回り止め片１０が設けられている。そして装着筒９の外周面には、滑り止めのローレット状の縦溝が設けられている。回り止め片１０を、容器体１６の回り止め凹部１８に係合させることによって、計量キャップ１１の着脱時における回動に伴う本体キャップ１の共廻りによる、容器体１６に対する本体キャップ１の螺合の緩み発生を防止している。
【００２３】
計量キャップ１１は、本体キャップ１に組付いた状態で下半分を嵌入筒２内に挿入する有頂筒形状をし、ラッパ状に少し拡径している先端部１３を有する計量筒１２と、この計量筒１２の略中央高さ位置から外鍔状に周設されたフランジ壁１４と、このフランジ壁１４の周端から垂下設されて、組付け筒８の外周面に密に螺合する螺合筒１５と、組付け筒８の内周面に密に接して内容液漏れを防止するシール部材１５ａと、から構成されている。螺合筒１５の外周面にも滑り止めのローレット状の縦溝が設けられている。
【００２４】
計量キャップ１１の計量筒１２は、図１でのＡ−Ａ横断面に示されるように、六角形状を有し、平面１２ａと角部１２ｂにて構成されている。内容液の注出時に注出筒５を計量筒１２に挿入し易く、内容液の計量確認性から六角形状が好ましい。なお、計量筒１２の横断面形状は、六角形状に限定されるものではなく、三角形状、四角形状、五角形状のような平面１２ａと角部１２ｂで構成される多角形状を備えていれば構わない。
【００２５】
計量筒１２がこのような多角形状を有していることによって、内容液の表面張力が均等にかかる従来の丸形状キャップより、多角形状キャップでは計量筒１２内に残留した内容液が角部１２ｂの頂点に集まろうとするため液切れ性が向上し、丸形状キャップより残留内容液は少なくなり、本体キャップ１への内容液の付着も少なくなる。
【００２６】
計量筒１２の多角形状は、下端部から先端部１３までの略全体に亘って形成されるものであり、従来の特許文献１の様に、一部だけ多角形状で、他の領域が円形状であると、計量キャップ内の残留内容液を減少させる効果は小さい。
【００２７】
次に、本発明の実施形態について説明する。
第一実施形態においては、図２（ｂ）に示される様に、注出筒５の背面部の段部６として平面な平面段部６ａを有する。図２（ａ）は注出筒５の平面段部６ａの拡大図である。内容液を注出筒５から計量キャップ１１に注出する際は、注出筒５の背面の平面段部６ａが計量筒１２の平面１２ａと接するようにすると、平面同士で接しているため接地面が広いため接地安定性が高まり、容器体１６が重い場合などで手元がズレることを抑制でき、注出筒５が計量筒１２内部から外れ、計量筒１２と螺合筒１５との間の計量キャップ１１の外輪部への内容液の流出による汚れを防止することができる。また、注出筒５の平面段部６ａを、計量筒１２の平面１２ａに当接させる際、計量筒１２が多角形状で複数の平面１２ａを有することから、目視で位置合わせをしなくても合致し易い構造となっている。
【００２８】
更には、計量筒１２が多角形状を有していることによって、内容液の表面張力が均等にかかる従来の丸形状キャップに比べ、多角形状キャップでは計量筒１２に残留した内容液が角部１２ｂの頂点に集るため液切れ性が良好で、丸形状キャップより残留内容液は少なくなり、本体キャップ１への内容液の付着も少なくなり、汚れを抑制することができる。
【００２９】
段部６を背面側の頂部の先端部から下端部まで全域に設けると、注出筒５の先端部に厚みが生まれ、内容液の液切れ性が低下することがあるので、注出筒５の先端部近傍には段部６を設けない方が好ましい。
【００３０】
第二実施形態においては、図３（ｂ）に示される様に、注出筒５の背面部の頂部に段部６として角形状の角形段部６ｂを有する。図３（ａ）は注出筒５の角形段部６ｂの拡大図である。内容液を注出筒５から計量キャップ１１に注出する際は、注出筒５の背面の角形段部６ｂを計量筒１２の角部１２ｂの位置に合わせるようにすると接地安定性が高まり、注出時の注出筒５のズレを抑制でき、注出筒５が計量筒１２内部から外れ、計量筒１２と螺合筒１５との間の計量キャップ１１の外輪部への内容液の流出による汚れを防止することができる。また、注出筒５の角形段部６ｂを、計量筒１２の角部１２ｂに当接させる際、計量筒１２が多角形状で複数の角部１２ｂを有することから、目視で位置合わせをしなくても合致し易い構造となっている。
【００３１】
以上、実施形態に沿って本発明の注出栓２０の構成とその作用効果について説明したが、本発明の実施の形態は上記実施形態に限定されるものではない。
【００３２】
上記実施形態においては、本体キャップ１の口筒部１７に対する組付きが螺合組付きを説明したが、本体キャップ１の口筒部１７に対する組付きは、螺合に限ることはなく、例えばアンダーカット組付きであっても構わない。
【産業上の利用可能性】
【００３３】
以上説明したように、本発明は、内容液の注出時において安定した注出状態を維持可能であり、また計量キャップ内への残留内容液が少なく本体キャップへの付着が少ないため計量キャップの分野における用途展開をさらに広い領域で図ることができる。
【符号の説明】
【００３４】
１  ；本体キャップ
２  ；嵌入筒
３  ；底壁
４  ；注出開口
５  ；注出筒
６  ；段部
６ａ；平面段部
６ｂ；角形段部
７  ；頂壁
８  ；組付け筒
９  ；装着筒
１０；回り止め片
１１；計量キャップ
１２；計量筒
１２ａ；平面
１２ｂ；角部
１３；先端部
１４；フランジ壁
１５；螺合筒
１５ａ；シール部材
１６；容器体
１７；口筒部
１８；回り止め凹部
２０；注出栓
【図１】
2017149478.tif 000003
【図２】
2017149478.tif 000004
【図３】
2017149478.tif 000005